(57)【要約】【課題】マルチホップリレイ方式のセルラーネットワークで信号を透過的に中継するための装置及び方法を提供する。【解決手段】本発明は、マルチホップリレイ(Multi-hop Relay)方式のセルラーネットワーク(Cellular Network)における中継サービスを支援するための中継局の動作方法であって、第１の周波数帯域を用いて上位ノードと通信を遂行する段階と、第２の周波数帯域を用いて下位ノードと通信を遂行する段階とを有することを特徴とする。【選択図】図３
2007184935.tif 000002
【特許請求の範囲】
【請求項１】
セルラーネットワーク(Cellular Network)における中継サービスを支援するための中継方法であって、
第１の周波数帯域を用いて上位ノードと通信を遂行する段階と、
第２の周波数帯域を用いて下位ノードと通信を遂行する段階と、
を有することを特徴とする方法。
【請求項２】
前記上位ノードは、基地局又は上位中継局を含むことを特徴とする請求項１記載の方法。
【請求項３】
前記下位ノードは、下位中継局又は前記中継局のサービス領域に含まれる端末を含むことを特徴とする請求項１記載の方法。
【請求項４】
前記第１の周波数帯域を用いて通信を遂行する段階は、
前記上位ノードから制御情報を含む信号を受信する段階と、
前記信号を受信した後に、送信モードに切り替える段階と、
前記送信モードに切り替えると、以前時間に前記端末から受信された信号を前記上位ノードに伝送する段階と、
を有することを特徴とする請求項１記載の方法。
【請求項５】
前記制御情報は、前記第２の周波数帯域情報を含むことを特徴とする請求項４記載の方法。
【請求項６】
前記上位ノードに信号を伝送する場合に、前記上位ノードの信号伝送タイミングと遅延時間を考慮してＲＴＤ(Round Trip Delay)だけタイミングアドバンス(Timing Advance)して伝送することを特徴とする請求項４記載の方法。
【請求項７】
前記第２の周波数帯域を用いて通信を遂行する段階は、
前記上位ノードから受信された信号を前記下位ノードに伝送する段階と、
前記信号を伝送した後、受信モードに動作を切り替える段階と、
前記受信モードに切り替えると、前記第２の周波数帯域を用いて前記下位ノードから信号を受信する段階と、
を有することを特徴とする請求項１記載の方法。
【請求項８】
前記下位ノードに信号を伝送する場合に、前記上位ノードの信号伝送タイミングと遅延時間を考慮して０．５×ＲＴＤだけタイミングアドバンスして伝送することを特徴とする請求項７記載の方法。
【請求項９】
前記第１の周波数帯域と第２の周波数帯域が並列に通信を遂行することを特徴とする請求項１記載の方法。
【請求項１０】
セルラーネットワークの中継局における中継サービスを支援するための装置であって、
所定リンクの使用周波数帯域を用いて信号を送受信するためのタイミング信号を提供するタイミング制御器と、
前記タイミング信号により第１の周波数帯域を用いて上位ノードと通信を遂行する第１の送受信装置と、
前記タイミング信号により第２の周波数帯域を用いて下位ノードと通信を遂行する第２の送受信装置と、
を含むことを特徴とする装置。
【請求項１１】
前記上位ノードは、基地局又は上位中継局を含むことを特徴とする請求項１０記載の装置。
【請求項１２】
前記下位ノードは、前記中継局のサービス領域に含まれる端末又は下位中継局を含むことを特徴とする請求項１０記載の装置。
【請求項１３】
前記タイミング制御器は、
前記上位ノードに信号を伝送する場合に、前記上位ノードの信号伝送タイミングと遅延時間を考慮してＲＴＤだけタイミングアドバンスして伝送するようにタイミング信号を提供し、
前記下位ノードに信号を伝送する場合に、前記上位ノードの信号伝送タイミングと遅延時間を考慮して０．５×ＲＴＤだけタイミングアドバンスして伝送するようにタイミング信号を提供することを特徴とする請求項１０記載の装置。
【請求項１４】
前記送受信装置は、
外部から信号を受信して受信装置に提供し、送信装置で発生した信号を外部に伝送するアンテナと、
前記タイミング信号により所定周波数帯域信号を送信する送信装置と、
前記タイミング信号により所定周波数帯域信号を受信する受信装置と、
を含むことを特徴とする請求項１０記載の装置。
【請求項１５】
前記送信装置は、
フレーム構成方式により伝送信号のフレームを構成するフレーム生成器と、
前記フレームに含まれた各サブフレームを各リンクのバーストに割り当てられたリソースにマッピングするリソースマッパと、
を含むことを特徴とする請求項１４記載の装置。
【請求項１６】
前記受信装置は、
受信された信号の各バーストに割り当てられたサブフレームを抽出するリソースデマッパと、
前記抽出されたサブフレームで各リンクのサブフレームを抽出するフレーム抽出器と、
を含むことを特徴とする請求項１４記載の装置。
【請求項１７】
前記タイミング制御器の制御により、前記アンテナと送信装置及び受信装置を接続するスイッチをさらに含むことを特徴とする請求項１４記載の装置。
【請求項１８】
前記送受信装置は、前記タイミング制御器の制御により第１の送受信装置と第２の送受信装置が並列に動作することを特徴とする請求項１０記載の装置。
【請求項１９】
無線通信システムで少なくとも２つの周波数帯域を用いて中継サービスを支援するためのサブフレーム構成方法であって、
前記サブフレームの第１の区間に、基地局と端末又は同期チャンネルを提供しない第１の中継局との間の通信を遂行するための第１の周波数帯域サブフレームと、同期チャンネルを提供する第２の中継局と端末との間の通信のための第２の周波数帯域サブフレームを構成する段階と、
前記サブフレームの第２の区間に、前記基地局と前記第２の中継局との間の通信を遂行するための第１の周波数帯域サブフレームを構成する段階と、
を有することを特徴とする方法。
【請求項２０】
前記第１の周波数帯域サブフレームの前記第１の区間の前端と前記第２の区間の後端に前記同期チャンネルを位置させることを特徴とする請求項１９記載の方法。
【請求項２１】
前記第１の周波数帯域サブフレームと第２の周波数帯域サブフレームは、空間多重化されて構成されることを特徴とする請求項１９記載の方法。
【請求項２２】
前記第１の区間で前記基地局と端末との間の通信のための第１の周波数帯域サブフレームと前記第２の中継局と端末との間の通信のための第２の周波数帯域サブフレームは、同一の構造で構成されることを特徴とする請求項１９記載の方法。
【請求項２３】
無線通信システムで少なくとも２つの周波数帯域を用いて中継サービスを支援するためのサブフレーム構成方法であって、
前記サブフレームの第１の区間に、基地局と端末又は中継局との間の通信を遂行するためのサブフレームを構成する段階と、
前記サブフレームの第２の区間に、前記基地局と端末との間の通信を遂行するための第１の周波数帯域サブフレームと前記中継局と端末との間の通信を遂行するための第２の周波数帯域サブフレームを構成する段階と、
を有することを特徴とする方法。
【請求項２４】
前記第１の周波数帯域サブフレームと第２の周波数帯域サブフレームは、空間多重化されて構成されることを特徴とする請求項２３記載の方法。
【請求項２５】
前記基地局と端末との通信のための第１の周波数帯域サブフレームと前記中継局と端末との間の通信のための第２の周波数帯域サブフレームは、同一の構造で構成されることを特徴とする請求項２３記載の方法。
【発明の詳細な説明】
【技術分野】
【０００１】
本発明はマルチホップリレイ(Multi-hop Relay)セルラーネットワーク(Cellular Network)に関するもので、特にマルチホップリレイセルラーネットワークで複数の周波数帯域を用いて透過的(transparent)に中継サービスを遂行するための装置及び方法に関するものである。
【背景技術】
【０００２】
第４世代の移動通信システムでは、高速通信を可能にし、より多くの通話量を収容するために半径が非常に小さいセルが設置される。この場合、現在の無線ネットワーク設計方式をそのまま使用した中央集中的な設計が不可能になる。このような無線ネットワークは、分散的に制御されるように構築され、かつ、新たな基地局(Base station）の追加のような環境変化に能動的に対処できなければならない。上記の理由で、第４世代の移動通信システムでは自律的適応型無線ネットワークの構成が要求される。
【０００３】
第４世代の移動通信システムで要求される自律的適応型無線ネットワークを現実的に実現するためには、アドホック(ad hoc)ネットワークで適用された技術を移動通信システムに導入すべきである。上記の代表的な例がマルチホップリレイセルラーネットワークであり、固定基地局で構成されたセルラーネットワークにアドホックネットワークで適用された技術であるマルチホップリレイ技法が導入された。このセルラーネットワークでは、基地局と端末機(Mobile station)との間に一つの直接リンク(direct link)で通信が遂行されるため、端末機と基地局との間に信頼度が高い無線通信リンクを容易に構成することができる。
【０００４】
しかしながら、基地局の位置が固定されているため、無線ネットワーク構成の柔軟性(flexibility）が低く、トラフィック分布や通話要求量の変化が激しい無線環境では効率的なサービスを提供することが難しい。このような短所を克服するために、周辺のいろいろな端末機又は周辺の固定中継局(Relay station)を用いてマルチホップ形態でデータを伝達する中継技法を適用する。また、マルチホップリレイ技術は、周辺環境変化に対して迅速にネットワークを再構成でき、全体無線ネットワークをより効率的に運用可能になる。また、マルチホップ中継技術は、基地局と端末機との間に中継器を設け、この中継器を通じたマルチホップ中継経路を構成することによって、チャンネル状態がより優れた無線チャンネルを端末に提供できる。さらに、マルチホップ中継経路を用いて陰影地域のように基地局と通信を遂行できない地域の端末に高速のデータチャンネルを提供することができるため、セル領域を拡張させることが可能になる。
【０００５】
図１は、一般的なマルチホップリレイ方式のセルラーネットワークの構成を示す。
図１に示すように、基地局(ＢＳ)１００のサービス領域１０１に含まれる移動端末(ＭＳ)１１０は、基地局１００と直接リンクで接続される。一方、基地局のサービス領域１０１の外部に位置してチャンネル状態が劣悪な端末１２０は中継局(ＲＳ)１３０を通じて中継リンクで接続される。
【０００６】
すなわち、基地局１００は、第１及び第２の端末１１０，１２０が基地局のサービス領域１０１の外部の周辺に位置し、或いは建物などによって遮蔽現象が激しい陰影地域に位置してチャンネル状態が劣悪な場合に、中継局１３０を用いてこれら端末１１０，１２０に一層優れた無線チャンネルを提供することができる。したがって、基地局１００は、マルチホップリレイ技法を適用してチャンネル状態が悪いセル境界地域で高速のデータチャンネルを提供し、セルサービス領域を拡張させることができる。
【０００７】
言い換えれば、中継局１３０は、基地局１００からダウンリンク信号を受信して第２の端末１２０に中継する。また、第２の端末１２０からアップリンク信号を受信して基地局１００に中継する。したがって、マルチホップリレイ方式のセルラーネットワークでは、基地局１００と中継局１３０との間のＢＳ-ＲＳリンク、中継局１３０と第２の端末１２０との間のＲＳ-ＭＳリンク、及び基地局１００と第１の端末１１０との間のＢＳ-ＭＳリンクが形成される。このとき、各リンクは、データ伝送経路の終端によりアップリンク(ＵＬ)とダウンリンク(ＤＬ)に区分される。
【０００８】
中継局１３０は、基地局１００のサービス領域の外部に位置する第２の端末１２０と基地局１００との間で通信が遂行可能なように、トラフィック伝送だけでなく、初期接続などの制御情報も中継しなければならない。したがって、中継局１３０は、端末が他の追加機能なしに通信を遂行するように中継サービスを提供しなければならない。
【０００９】
基地局１００が、下記の図２に示すようなフレーム構造を用いて第１の端末１１０と通信を遂行する場合に、中継局１３０も基地局１００と同一のフレーム構造及び情報を含んで第２の端末１２０に信号を中継しなければならない。
【００１０】
図２は、一般的な広帯域無線接続通信システムのフレーム構造を示す。ここで、図２は、ＩＥＥＥ(Institute of Electrical and Electronics Engineers)８０２.１６で提供される時分割複信(Time Division Duplex)フレーム構造を示す。
【００１１】
図２に示すように、フレームは、時間リソースでダウンリンクサブフレームとアップリンクサブフレームに区分して構成される。ここで、ダウンリンクサブフレームは、同期チャンネル、制御チャンネル、及びダウンリンク(ＤＬ)バーストのように順次に構成される。アップリンクサブフレームは、制御チャンネルとアップリンク(ＵＬ)バーストのように順次に構成される。
【００１２】
上述したように、中継サービスが提供される端末にとっては、追加機能なしに中継局を用いる通信を遂行するための機能が要求される。すなわち、中継局で透過的に信号を中継するための機能が要求されている。
【特許文献１】韓国特許出願公開第２００６−１２４７５１号公報
【発明の開示】
【発明が解決しようとする課題】
【００１３】
したがって、本発明の目的は、マルチホップリレイ方式のセルラーネットワークで信号を透過的(Transparent)に中継するための装置及び方法を提供することにある。
本発明の他の目的は、マルチホップリレイ方式のセルラーネットワークで、中継局は複数の周波数帯域を用いて透過的に中継を遂行するための装置及び方法を提供することにある。
【課題を解決するための手段】
【００１４】
上記の目的を達成するために、本発明は、マルチホップリレイ(Multi-hop Relay)方式のセルラーネットワーク(Cellular Network)における中継サービスを支援するための中継方法であって、第１の周波数帯域を用いて上位ノードと通信を遂行する段階と、第２の周波数帯域を用いて下位ノードと通信を遂行する段階とを有することを特徴とする。
【００１５】
また、本発明は、マルチホップリレイ方式のセルラーネットワークの中継局における中継サービスを支援するための装置であって、所定リンクの使用周波数帯域を用いて信号を送受信するためのタイミング信号を提供するタイミング制御器と、前記タイミング信号により第１の周波数帯域を用いて上位ノードと通信を遂行する第１の送受信装置と、前記タイミング信号により第２の周波数帯域を用いて下位ノードと通信を遂行する第２の送受信装置とを含むことを特徴とする。
【００１６】
なお、本発明は、マルチホップ中継方式の広帯域無線接続通信システムで少なくとも２つの周波数帯域を用いて中継サービスを支援するためのサブフレーム構成方法であって、前記サブフレームの第１の区間に、基地局と端末又は同期チャンネルを提供しない第１の中継局との間の通信を遂行するための第１の周波数帯域サブフレームと、同期チャンネルを提供する第２の中継局と端末との間の通信のための第２の周波数帯域サブフレームを構成する段階と、前記サブフレームの第２の区間に、前記基地局と前記第２の中継局との間の通信を遂行するための第１の周波数帯域サブフレームを構成する段階とを有することを特徴とする。
【００１７】
本発明は、マルチホップ中継方式の広帯域無線接続通信システムで少なくとも２つの周波数帯域を用いて中継サービスを支援するためのサブフレーム構成方法であって、前記サブフレームの第１の区間に、基地局と端末又は中継局との間の通信を遂行するためのサブフレームを構成する段階と、前記サブフレームの第２の区間に、前記基地局と端末との間の通信を遂行するための第１の周波数帯域サブフレームと前記中継局と端末との間の通信を遂行するための第２の周波数帯域サブフレームを構成する段階とを有することを特徴とする。
【発明の効果】
【００１８】
本発明は、マルチホップリレイ方式のセルラーネットワークで複数の周波数帯域を用いて信号を透過的に中継することによって、基地局のサービス領域の拡大及び端末の互換性(Backward Compatibility）を可能にする。また、本発明は、基地局と中継局リンクに方向性アンテナを使用することによって、中継リンクのチャンネル容量を増大させることができる利点がある。
【発明を実施するための最良の形態】
【００１９】
以下、本発明の望ましい実施形態を添付の図面を参照して詳細に説明する。
下記の説明において、本発明に関連した公知の機能或いは構成に関する具体的な説明が本発明の要旨を不明にすると判断される場合には、その詳細な説明を省略する。
なお、以下の説明において、「セル」と「サービス領域」は同義語である。
【００２０】
本発明は、マルチホップリレイ(Multi-hop Relay)セルラーネットワーク(Cellular Network)で複数の周波数帯域を用いて透過的(Transparent)に中継サービスを提供するための技術について説明する。言い換えれば、セルラーネットワークは、透過中継サービスを提供するために複数の周波数帯域を用いて、基地局と中継局リンクと中継局と端末リンクが相互に異なる周波数帯域を通じて通信が遂行される方式について説明する。ここで、透過中継サービスは、中継サービスが提供される端末の立場で中継局を通じて提供されるサービスを中継サービスとして認識せず、基地局から直接サービスが提供されると認識して通信を遂行することを意味する。
【００２１】
以下に、時分割複信(Time Division Duplex)及び直交周波数分割多重接続(Orthogonal Frequency Division Multiple Access)方式を使用する無線通信システムを例として説明し、他の多重接続方式にも同一に適用可能である。また、基地局と端末との間のリンクを直接リンクと称し、基地局と中継局とのリンクは中継リンクと称し、中継局と端末とのリンクはサブセル(Sub-Cell)リンクと称する。
【００２２】
図３は、本発明による透過中継を遂行するためのマルチホップリレイセルラーネットワークの構成を示す。以下の説明では、２つのホップ中継方式で２つの周波数帯域を使用して信号を透過的に中継すると仮定して説明する。
【００２３】
図３に示すように、基地局(ＢＳ)３００のサービス領域に含まれる端末(ＭＳ)３０１，３０３は、基地局３００と直接リンクで接続される。しかしながら、基地局３００のサービス領域の外部に位置する端末３１１，３１３は中継局(ＲＳ)３１０を通じた中継リンクを通じて基地局３００に接続される。
【００２４】
このとき、基地局３００は、２つの周波数帯域Ｆ１，Ｆ２を用いて端末３０１，３０３と通信を遂行し、周波数帯域Ｆ１を用いて中継局３１０と通信を遂行する。ここで、基地局３００は、基地局と中継局との間のリンク制御チャンネルを通じて中継局３１０の動作を制御する。
【００２５】
一方、中継局３１０は、周波数帯域Ｆ１を通じて基地局３００から受信された信号の中で中継が必要な信号のみを選択する。その後、中継局３１０は、選択された信号を周波数帯域Ｆ２を用いて端末３１１，３１３に中継する。ここで、中継局３１０は、基地局３００の制御によって中継が必要な信号を選択する。すなわち、中継局３１０は、周波数帯域Ｆ１を用いて基地局３００と通信し、端末３１１，３１３は周波数帯域Ｆ２を用いて通信する。また、基地局３００は、周波数帯域Ｆ１，Ｆ２を用いて中継局３１０又は直接リンクを有する端末３０１，３０３と通信する。
【００２６】
上述したように、基地局は、複数の中継局と相互に異なる周波数帯域を用いて通信し、或いは同じ周波数帯域を用いて通信しつつ、多重接続(Multiple Access）方式を考慮することができる。また、各中継局に中継リンクのために割り当てる周波数帯域は、周波数再使用(frequency reuse)値を考慮して同じ周波数又は他の周波数が割り当てられることができる。
【００２７】
そして、セルラーネットワークは、中継リンクでサービスされる領域と直接リンクでサービスされる領域との間を移動する端末のハンドオフを容易にするために、中継局に隣接した端末に周波数帯域Ｆ２を割り当てることができる。例えば、上記のセルラーネットワークは、基地局３００から直接サービスを受ける直接リンク(基地局３００と第１の端末３０１)に隣接した中継局からサービスを受けるサブセルリンク(中継局３１０と第２の端末３１１)に、直接リンクと同一の周波数帯域Ｆ２を割り当てることもできる。
【００２８】
また、中継局３１０は、端末３１１，３１３が中継局３１０を通じて基地局３００に初期接続(Initial Access)、すなわちネットワークエントリ(Network Entry）が可能なように、周波数帯域Ｆ２を用いて端末３１１，３１３のネットワークエントリ手順を支援しなければならない。すなわち、中継局３１０は、端末３１１，３１３に制御チャンネル信号とトラフィックチャンネル(Traffic Channel)信号を、周波数帯域Ｆ２を用いて中継する。また、中継局３１０は、周波数帯域Ｆ２を通じて提供される端末３１１，３１３が初期接続のために伝送するランダム接続チャンネル(Random Access Channel)信号を基地局３００に中継する。
したがって、中継局３１０は、相互に異なる周波数帯域Ｆ１，Ｆ２を用いて２つのリンク(基地局と中継局リンク、中継局と端末リンク）の通信を遂行する。
【００２９】
ここで、Ｆ１，Ｆ２は相互に隣接した周波数帯域である。この場合、中継局は、隣接した周波数帯域での送受信信号の分離を考慮すべきである。すなわち、中継局は、複数の周波数帯域を使用して提供された中継リンクとサブセルリンクのサブフレームでの動作モードが異なる可能性があるため、隣接した周波数帯域での送受信の分離可否及びハードウェアの複雑度に応じてフレーム構造を異なるように構成することができる。
【００３０】
図４Ａ及び図４Ｂは、本発明の一実施形態による透過中継のためのダウンリンクサブフレーム構造を示す。以下に、図３に示した周波数帯域Ｆ１，Ｆ２を用いるダウンリンクサブフレームの構造を例として説明する。ここで、ダウンリンクサブフレームを例に挙げて説明するが、アップリンクサブフレームも同一の形態を有する。
【００３１】
図４Ａは周波数帯域Ｆ１を用いるダウンリンクサブフレームの構造を示し、図４Ｂは周波数帯域Ｆ２を用いるダウンリンクサブフレームの構造を示す。
まず、図４Ａに示すように、周波数帯域Ｆ１のダウンリンクサブフレームは、基地局３００が端末３０１，３０３及び中継局３１０に信号を伝送するためのダウンリンクサブフレームで構成される。
【００３２】
次に、図４Ｂに示すように、周波数帯域Ｆ２のダウンリンクサブフレームは、基地局３００が端末３０１，３０３にダウンリンク信号を伝送するための第１のダウンリンクサブフレームと、中継局３１０が端末３１１，３１３にダウンリンク信号を中継するための第２のダウンリンクサブフレームで構成される。このとき、第１のダウンリンクサブフレームと第２のダウンリンクサブフレームは空間リソースで多重化されて区分される。
ここで、基地局３００は周波数帯域Ｆ２を通じて端末３０１，３０３と通信し、中継局３１０は自分のサブセルリンクを通じて端末３１１，３１３と通信する。
【００３３】
図５Ａ及び図５Ｂは、本発明の他の実施形態による透過中継のためのフレーム構造を示す。以下に、中継局で送受信信号を分離することができるため、基地局フレームと中継局フレームが同期式で構成される構造を例として説明する。
【００３４】
図５Ａに示すように、基地局は、周波数帯域Ｆ１を用いて中継局と通信するために基地局フレームを構成する。このとき、基地局は周波数帯域Ｆ１と周波数帯域Ｆ２をすべて用いて直接リンクで接続された端末と通信するために、周波数帯域Ｆ１，Ｆ２を用いて基地局フレームを構成する。ここで、基地局は、通信周波数帯域を中継局別に同じ周波数帯域或いは異なる周波数帯域を割り当てることができる。このとき、中継局は、周波数分割複信(Frequency Division Duplex）と類似に基地局と通信する周波数帯域と端末と通信する周波数帯域とを相互に異なるように区分して通信を遂行する。基地局フレームで中継局は、直接リンクを通じて通信する端末動作と同一に基地局と通信する。もし、中継リンクのための周波数帯域が独立的に割り当てられる場合に、新たな通信方式が適用されることができる。
【００３５】
図５Ｂに示すように、中継局は、周波数帯域Ｆ２を用いてサブセル領域に含まれた端末又は下位マルチホップ中継局と通信を遂行するために周波数帯域Ｆ２を用いて中継局フレームを構成する。すなわち、中継局は、基地局と通信する周波数帯域Ｆ１と他の周波数帯域Ｆ２を用いて端末又は下位中継局のために中継局フレームを構成する。ここで、２個以上の周波数帯域を使用する場合に、中継局は、上記の下位マルチホップ中継局又は端末に対し一つ以上の周波数帯域を用いて中継リンクのためのフレームを提供することができる。そして、中継フレームは、従来の構造と同一の構造で構成され、中継フレームの細部は該当システムにより異なるように構成される。
【００３６】
図６Ａ及び図６Ｂは、本発明の他の実施形態による透過中継のためのフレーム構造を示す。以下に、中継局が隔離技術により送信信号と受信信号を分離できないために、基地局フレームと中継局フレームが非同期式で構成される場合を例として説明する。
【００３７】
図６Ａに示すように、基地局は、サブフレームを、時間リソースを用いて２個の時間スロット又は区間(zone)に分ける。このとき、サブフレームの区間は中継局を支援するための区間と支援しない区間に区分する。例えば、基地局は、サブフレーム内の第１の領域６０１で中継局又は端末と通信し、第２の領域６０３で端末と通信する。すなわち、基地局は、中継局が受信した後に送信できるように中継局に伝送するバーストを第１の領域６０１に位置させる。そして、直接リンクを有する端末とは第１の領域６０１と第２の領域６０３を用いて通信する。
【００３８】
もし、中継局能力(capability)により、この中継局が相互に異なる周波数帯域を通じて同時に送受信される信号を分離することが困難な場合には、中継局は信号の送受信を時間遅延させて伝送する。すなわち、中継局は、第１の領域６０１以後に中継局フレームを提供する。そして、遅延によって発生する逆方向干渉を除くために基地局フレームと中継局フレームが逆方向に重なる区間は中継局フレームではデータを伝送しない(図６Ｂの空(null)部分)。また、中継局の動作切り替えのための時間間隔は第２の区間で考慮される。
【００３９】
中継局フレームが基地局フレーム伝送時点で一定の送信タイミングオフセットだけ遅延伝送される。すなわち、端末においては、基地局フレームと中継局フレームは非同期式で提供される。
【００４０】
図７Ａ及び図７Ｂは、本発明のまた他の実施形態による透過中継のためのフレーム構造を示す。以下に、中継局が隔離技術を使用しなくて送受信信号が分離できないため、基地局フレームと中継局フレームが同期式で構成される構造を例として説明する。
【００４１】
図７Ａ及び図７Ｂに示すように、基地局は、中継局が送受信動作を同時に遂行することを防止するために、サブフレームを各々２個の時間スロット又は区間に区分してフレームを構成する。例えば、基地局は、サブフレーム内の第１の領域７０１で端末と通信し、第２の領域７０３で中継局と通信するように基地局フレームを構成する。
【００４２】
基地局フレームにおいて、第２の領域で提供されるサブフレームは各周波数帯域別に異なる。すなわち、複数の周波数帯域の中で、任意の周波数帯域では基地局が直接リンクを有する端末との通信のみが遂行されることによって、第２の領域のサブフレームが提供されず、第１の領域のサブフレームのみが提供されることができる。また、任意の周波数帯域では基地局が中継局との通信のみが遂行されることによって、第１の領域のサブフレームが提供されず、第２の領域のサブフレームのみが提供されることができる。
【００４３】
次に、中継局フレームのダウンリンクサブフレームの第１の領域は中継局で端末に信号を送信する区間として使用し、第２の領域は中継局が基地局から信号を受信する区間として使用する。また、アップリンクサブフレームの第１の領域は、中継局が端末から信号を受信する区間として使用し、第２の領域は中継局が基地局に信号を送信する区間として使用する。ここで、中継局と基地局は同じタイミングで同期化されて端末と通信する。
【００４４】
基地局は、複数の周波数帯域を用いて各周波数帯域別フレームを提供する。このとき、一つの周波数帯域では中継局が周波数を用いて基地局から中継リンクを通じてサービスを受信する。このとき、基地局は、中継局と通信するための基地局フレームを中継局がサブセルリンクを通じて端末にサービスを提供する形態のフレームと同一の構造で構成される。また、複数の周波数帯域の中で任意の周波数帯域では直接リンクの端末又は中継局と通信できる。
【００４５】
中継局フレームにおいて、第２の領域で提供されるサブフレームの提供可否は、セルラーシステムの支援可能なホップ数によって決定される。すなわち、第２の領域で提供されるサブフレームは、３ホップ以上のマルチホップシステムを考慮する場合に、次のホップの中継局との通信のために使用される。このとき、第２の領域のサブフレームは、従来のシステムと同一の構造又は新たな機能を含むフレーム構造で構成されることができる。そして、この場合に、基地局と端末との間の直接リンクとは時間分割多重化を考慮する。
【００４６】
上述したように、時分割複信方式のマルチホップリレイ方式のセルラーネットワークで複数の周波数帯域を使用して透過的に信号を中継する場合に、図４Ａ及び図４Ｂに示すように、同一の周波数帯域を空間多重化形態で多重化して使用されるため、隣接セルの干渉を排除するための時間同期化が行われなければならない。時間同期化がなされないと、セルラーネットワークで図５Ａ及び図５Ｂに示すように直接リンクとサブセルリンクとの間に逆方向リンクの干渉が発生する。ここで、逆方向リンクの干渉は、アップリンク信号が隣接セルのダウンリンク信号に大きい電力強度で干渉することを意味し、逆もまたしかりである。
【００４７】
図８は、本発明の実施形態による逆方向リンクの干渉が発生するマルチホップリレイ方式のセルラーネットワークの構成を示す。
図８に示すように、基地局３００は、周波数帯域Ｆ２を用いて第１の端末３０１と直接リンクを通じて通信を遂行し、中継局３１０も周波数帯域Ｆ２を用いて第２の端末３１１と中継リンクを通じて通信を遂行する。このとき、同一の周波数帯域を使用する基地局と第１の端末リンクのフレームと中継局と第２の端末リンクのフレームの同期が合わないと、各リンクの信号が干渉で作用してシステム性能が大きく劣化される。
【００４８】
したがって、マルチホップリレイ方式のセルラーネットワークで中継局は逆方向リンクによる干渉を排除するために、下記の図９に示すように、基地局と中継局との間の伝送遅延を考慮してタイミングアドバンス(Timing Advance）を遂行して中継する方式を使用する。中継局は、基地局の伝送遅延を考慮して、０．５×ＲＴＤだけタイミングアドバンスさせて、端末へ中継局ダウンリンクサブフレームを中継しなければならない。
【００４９】
図９Ａ、図９Ｂ、図９Ｃ及び図９Ｄは、本発明の実施形態によるマルチホップリレイ方式のセルラーネットワークで逆方向リンクの干渉を防止するための送信タイミングを示す図である。
図９Ａは周波数帯域Ｆ１でのタイミングを示し、 図９Ｂは周波数帯域Ｆ２でのタイミングを示す。また、 図９Ｃと図９Ｄは間違ったタイミングアドバンスによって発生する逆方向リンクの干渉を示す。ここで、一つのフレームはダウンリンク、ＴＴＧ(Transmit/Receive Transition Gap)、アップリンク、ＲＴＧ(Receive/Transmit Transition Gap)を含んで構成される。
【００５０】
まず、図９Ａに示すように、基地局が周波数帯域Ｆ１を通じてダウンリンクサブフレームを伝送すると(９０１)、基地局から周波数帯域Ｆ１を通じて通信を遂行する端末或いは中継局は伝送遅延された基地局のダウンリンクサブフレームを受信する(９０３)。その後、ＲＴＤ(Round Trip Delay)を考慮してタイミングアドバンスして基地局アップリンクサブフレームを基地局に送信する(９０５)。
【００５１】
図９Ｂに示すように、基地局がダウンリンクサブフレームを伝送すると(９１１)、中継局は、基地局の伝送遅延を考慮して０．５×ＲＴＤだけタイミングアドバンスして中継局ダウンリンクサブフレームを端末に伝送する(９１３)。ここで、０．５×ＲＴＤだけタイミングアドバンスを遂行することによって、図９Ｃに示すようにタイミングアドバンスを遂行しない場合に、中継局のダウンリンクサブフレーム内の信号が経験する周波数帯域Ｆ２で基地局と直接リンクを有する端末のアップリンクサブフレーム内の信号からの大きい強さの干渉を防止できる。また、図９Ｄに示すように、中継局が周波数帯域Ｆ１での通信リンクと同一に周波数帯域Ｆ２でも送信信号をＲＴＤだけタイミングアドバンスする場合に、中継局のアップリンクサブフレーム内の信号が基地局ダウンリンクサブフレーム信号に干渉を発生させる。
【００５２】
上述したように、２ホップで構成されたセルラーネットワークで相互に異なる周波数帯域を用いて中継リンクとサブセルリンクを設定する方法は、２ホップだけでなく下記の図１０に示すようにマルチホップに拡張が可能である。
【００５３】
図１０は、本発明の実施形態による透過中継を遂行して拡張されたマルチホップリレイセルラーネットワークの構成を示す。
図１０に示すように、基地局１０００は、サービス領域に含まれる端末１００１，１００３と２つの周波数帯域Ｆ１，Ｆ２を用いて通信を遂行する。また、基地局１０００は、第１の中継局１０１０と周波数帯域Ｆ１を用いて通信を遂行する。
【００５４】
第１の中継局１０１０は、周波数帯域Ｆ１を通じて基地局１０００と通信を遂行する。また、第１の中継局１０１０は、透過中継を遂行するために周波数帯域Ｆ１と他の周波数帯域Ｆ２を用いて第１の中継局１０１０のサブセルに含まれる端末１０１１及び第２の中継局１０２０とサブセルリンク及び２ホップ中継リンクを形成して通信を遂行する。
【００５５】
第２の中継局１０２０は、周波数帯域Ｆ２を通じて第１の中継局１０１０と中継リンクで通信を遂行する。また、第２の中継局１０２０は、周波数帯域Ｆ１を用いて第２の中継局１０２０のサブセルに含まれる端末１０２１とサブセルリンクを形成して通信を遂行する。
【００５６】
上述したように、セルラーネットワークで各ホップに互いに異なる周波数を割り当てることによって、マルチホップにも拡張することができる。実施形態では、最終端の中継局まで２ホップを仮定する。３ホップへの拡張を考慮する場合に、基地局１０００が単一ホップの中継局に代替され、中継局１０１０が２ホップ中継局に代替されて動作する。すなわち、一般的に以前ホップの中継局と次のホップの中継局との間の動作は、図１０の単一ホップの中継局１０１０と２ホップの中継局１０２０との間に同一に動作する。
【００５７】
以下に、複数の周波数帯域を使用して基地局と端末の信号を透過的に中継するための中継局及びマルチホップリレイ方式のセルラーネットワークの動作手順について説明する。
図１１は、本発明の実施形態による透過中継を遂行するための中継局の動作手順を示す。以下に、２つの周波数帯域を使用して信号を透過的に中継すると仮定して説明し、複数の周波数帯域を使用することに拡張可能である。また、中継局は、中継リンクに使用される周波数帯域Ｆ１とサブセルリンクに使用される周波数帯域Ｆ２を同時に使用する。すなわち、中継リンクとサブセルリンクは相互に異なる周波数帯域を使用する。
【００５８】
図１１を参照すると、中継局は、周波数帯域Ｆ１，Ｆ２を並列に使用して中継リンク及びサブセルリンクを通じた通信を同時に遂行する。すなわち、中継局は、周波数帯域Ｆ１を使用する中継リンクを通じて基地局から信号を受信し、周波数帯域Ｆ２を使用するサブセルリンクを通じて端末に信号を送信する。
【００５９】
まず、周波数帯域Ｆ１での中継局動作手順について説明すると、中継局は、ステップ１１０１で、基地局からプリアンブル信号を受信して同期化情報を獲得する。ここで、中継局は、基地局に対して一つの端末のように動作する。
【００６０】
基地局から同期化情報を獲得する場合に、中継局は、ステップ１１０３に進行して中継のための制御情報を獲得する。すなわち、中継局は、ＦＣＨ(Frame Control Header)とＤＬ(Down Link) ＭＡＰ及びＵＬ(Up Link) ＭＡＰ情報を受信して中継局のサブセルに含まれる端末に信号を中継するための制御情報を獲得する。
【００６１】
中継制御情報を獲得した後に、中継局は、ステップ１１０５で、中継制御情報に基づいて基地局からサブセルに含まれる端末に中継を遂行するトラフィック信号を受信する。
中継局は、ステップ１１０７で、基地局のダウンリンク信号を受信する受信モードから送信モードに第１の動作切り替えを遂行する。ここで、周波数帯域Ｆ１で伝送モードが受信モードから送信モードへの第１の動作切り替えが遂行されると、周波数帯域Ｆ２の伝送モードは送信モードから受信モードに切り替えられる。
【００６２】
第１の動作切り替えを遂行した後に、中継局は、ステップ１１０９に進行し、ＲＴＤだけタイミングアドバンスを遂行して以前タイムで周波数帯域Ｆ２を通じて端末から受信されたアップリンク信号を基地局に送信する。
【００６３】
以後、中継局は、ステップ１１１１で、送信モードから受信モードに第２の動作切り替えを遂行した後に、本アルゴリズムを終了し、或いは次のフレーム受信のためにステップ１１０１または１１０３に戻る。
【００６４】
次に、周波数帯域Ｆ２での中継局の動作手順を説明すると、中継局は、ステップ１１０２で、基地局のダウンリンクサブフレームの送信タイミングと同一にプリアンブル信号をサブセル領域に伝送する。すなわち、中継局は、基地局のダウンリンクサブフレームの送信タイミングと遅延時間を考慮して、０．５×ＲＴＤだけタイミングアドバンスして伝送する。
【００６５】
プリアンブル信号を伝送した後に、中継局は、ステップ１１０４，１１０６にかけて共通制御情報及び基地局から受信された中継トラフィックを端末に伝送する。
中継局は、ステップ１１０８に進行して、端末にダウンリンク信号を送信する送信モードから受信モードに第１の動作切り替えを遂行する。ここで、周波数帯域Ｆ２で伝送モードが送信モードから受信モードに切り替えられると、周波数帯域Ｆ１の伝送モードは受信モードから送信モードに切り替えられる。 
【００６６】
第１の動作切り替えを遂行した後に、中継局は、ステップ１１１０に 進行して端末からアップリンク信号を受信する。すなわち、中継局は、基地局に中継する端末のアップリンク信号を受信する。
【００６７】
中継局は、ステップ１１１２に進行して、端末から信号を受信する受信モードから送信モードに切り替えた後に、本アルゴリズムを終了し、或いは次のフレーム受信のためにステップ１１０２に戻る。
【００６８】
図１２は、本発明の実施形態による透過中継を遂行するためのマルチホップリレイ方式のセルラーネットワークの動作手順を示す。
図１２を参照すると、まず、基地局１２０１は、周波数帯域Ｆ１を用いてプリアンブル及び制御チャンネル特性情報を中継局１０２３に伝送する(段階１２１１)。
中継局１２０３は、基地局１２０１から受信されたプリアンブル及び制御チャンネル特性情報を用いてシステム同期を獲得し、ダウンリンク及びアップリンク制御チャンネル特性情報を獲得する。以後、中継局１２０３は、獲得した制御チャンネル特性によって周波数帯域Ｆ１を用いて基地局１２０１に接続手順を遂行する(段階１２１３)。ここで、中継局１２０３は、自分の中継能力を基地局１２０１との通信を通じて交渉することができる。
【００６９】
その後、基地局１２０１は、接続された中継局１２０３に中継局のサブセル領域に含まれる端末にサービスを提供するためのサブセルリンクで使用する周波数帯域Ｆ２の情報を含むシステム制御情報を中継局１２０３に伝送する(段階１２１５)。
【００７０】
中継局１２０３は、システム制御情報が受信されると、基地局１２０１が指定した周波数帯域Ｆ２を用いてサブセル領域に含まれる端末のためにプリアンブル及び制御チャンネル特性情報を伝送(放送)する(段階１２１７)。
【００７１】
端末１２０５は、中継局１２０３から受信されたプリアンブル及び制御チャンネル特性情報を用いてシステム同期を獲得し、ダウンリンク及びアップリンク制御チャンネル特性情報を獲得する。以後、端末１２０５は、獲得した制御チャンネル特性によって周波数帯域Ｆ２を用いて中継局１２０３に接続手順を遂行する(段階１２１９)。
【００７２】
中継局１２０３は、端末１２０５からアクセス情報が受信されると、端末１２０５のアクセス情報を、周波数帯域Ｆ１を用いて基地局１２０１に中継する(段階１２２１)。
基地局１２０１は、周波数帯域Ｆ１を用いて中継局１２０３に中継サービスを受信する端末のためのダウンリンク制御情報及びトラフィックを伝送する(段階１２２３)。ここで、ダウンリンク制御情報は、中継局１２０３が中継の必要な信号だけを選択できるように制御する制御情報を含む。
【００７３】
中継局１２０３は、周波数帯域Ｆ１を通じて基地局１２０１から受信された制御情報及びトラフィックを、周波数帯域Ｆ２を用いて端末１２０５に伝送する(段階１２２５)。
また、端末１２０５が周波数帯域Ｆ２を通じて中継局１２０３にアップリンク信号を伝送し(段階１２２７)、中継局１２０３は周波数帯域Ｆ２を通じて受信された端末１２０５のアップリンク信号を、周波数帯域Ｆ１を通じて基地局１２０１に伝送する(段階１２２９)。
【００７４】
上述したように、中継局を用いて信号を中継することによって基地局のサービス領域が拡大可能である。しかしながら、この信号の中継がダウンリンクである場合に、中継局は、基地局のダウンリンク信号を、中継リンクを通じて受信した後に、同一の情報を再構成してサブセルリンクを通じてサービスするため、無線リソース側面でリソース効率を低下させる。また、中継局は、基地局のサービス領域を拡張するために基地局のセル境界に位置する場合に、基地局と中継局との間の中継リンクを通じたチャンネル容量が減少するという問題が発生する。
したがって、本発明は、中継リンクのチャンネル容量を増大させつつ、基地局サービス領域を拡張するために、下記の図１３に示すように、中継局は方向性アンテナを使用する。
【００７５】
図１３は、本発明の実施形態による中継局装置の送信方式を示す。
図１３に示すように、中継局１３１０は、方向性アンテナを用いて基地局１３００と通信リンクを設定して基地局と中継局との間の中継リンクのチャンネル容量を増大させる。
【００７６】
また、中継局１３１０は、全方向性アンテナを用いてサブセルに含まれた端末１３１１と通信リンクを設定して基地局サービス領域を拡張する。すなわち、中継局１３１０は、基地局と通信リンクを設定するための方向性アンテナと、端末と通信リンクを設定するための全方向性アンテナの２つのＲＦ(Radio Frequency)段を有する。
【００７７】
図１４は、本発明による透過中継を遂行するための基地局のブロック構成を示す。以下に、２つの周波数帯域を使用する場合を例として説明する。
図１４に示すように、基地局は、２つの周波数帯域Ｆ１，Ｆ２を用いて通信を遂行するため、周波数帯域Ｆ１の送受信装置１４０１と、周波数帯域Ｆ２の送受信装置１４０３と、タイミング制御器１４０５と、帯域通過フィルター(Band Pass Filter：ＢＰＦ)１４３３，１４６３を含む。ここで、周波数帯域Ｆ１の送受信装置１４０１と周波数帯域Ｆ２の送受信装置１４０３は、同一の構成を有するので、周波数帯域Ｆ１の送受信装置１４０１のみを例に挙げて説明し、周波数帯域Ｆ２の送受信装置１４０３も同一の構造を有する。
【００７８】
帯域通過フィルター１４３３，１４６３は、相互に異なる周波数帯域を用いる送受信装置１４０１，１４０３の使用周波数帯域を分離して各送受信装置１４０１，１４０３に伝送する。
【００７９】
周波数帯域Ｆ１の送受信装置１４０１は、帯域通過フィルター１４３３を通じて周波数帯域Ｆ１の信号を送受信するために、送信装置１４１１、受信装置１４２１、及びＲＦスイッチ１４３１を含んで構成される。
【００８０】
送信装置１４１１は、フレーム生成器１４１３、リソースマッパ１４１５、変調器１４１７、及びデジタル/アナログ変換器(Digital/Analog Converter：以下、“ＤＡＣ”とする)１４１９を含む。
【００８１】
フレーム生成器１４１３は、上位端から受信したデータを宛先によってそれぞれのサブフレームを生成する。例えば、フレーム生成器１４１３が基地局に含まれる場合に、直接リンクで接続された端末に伝送するデータを用いてＢＳ-ＭＳサブフレームを構成し、中継器に伝送するデータを用いてＢＳ-ＲＳサブフレームを構成する。
リソースマッパ１４１５は、フレーム生成器１４１３から受信したサブフレームを各サブフレームに割り当てられた各リンクのバーストに割り当てて出力する。
【００８２】
変調器１４１７は、リソースマッパ１４１５から各リンクのバーストに割り当てられたサブフレームを受信して予め定められた変調方式により変調する。ＤＡＣ１４１９は、変調器１４１７で変調されたデジタル信号をアナログ信号に変換した後に、アナログ信号を、ＲＦ処理器(図示せず)を通じて周波数上昇させてＲＦ信号に変換する。ＲＦスイッチ１４３１は、このＲＦ信号を帯域通過フィルター１４３３とアンテナ１４０７を通じて端末或いは中継局に伝送するように制御する。
【００８３】
受信装置１４２１は、アナログ/デジタル変換器(Analog/Digital Converter：以下、“ＡＤＣ”とする)１４２３、復調器１４２５、リソースデマッパ１４２７、及びフレーム抽出器１４２９を含む。
【００８４】
ＡＤＣ１４２３は、周波数の受信帯域Ｆ１に帯域通過フィルター１４６３とＲＦスイッチ１４３１を通じて受信された信号を周波数降下させて基底帯域信号に変換されたアナログ信号をデジタル信号に変換する。
復調器１４２５は、アナログ/デジタル変換器１４２３から受信されたデジタル信号を所定復調方式により復調して出力する。
【００８５】
リソースデマッパ１４２７は、復調器１４２５から受信された各リンクのバーストに割り当てられた実際のサブフレームを抽出する。
フレーム抽出器１４２９は、リソースデマッパ１４２７から提供されるサブフレームで受信器１４２１に該当するサブフレームを抽出する。例えば、フレーム抽出器１４２９は、ＢＳ-ＭＳサブフレームとＢＳ-ＲＳサブフレームを抽出する。
【００８６】
ＲＦスイッチ１４３１は、タイミング制御器１４０５の制御によりフレームの送信帯域と受信帯域によって送受信装置１４１１，１４２１と帯域通過フィルター１４３３，１４６３を接続する。
タイミング制御器１４０５は、フレームで周波数帯域Ｆ１と周波数帯域Ｆ２の送受信タイミングを制御する。
【００８７】
図１５は、本発明による透過中継を遂行するための中継局のブロック構成を示す。以下に、中継局の送受信装置を構成する各モジュールは、図１４に示す基地局の送受信装置を構成する各モジュールと同一の動作を遂行するので説明を省略する。
【００８８】
図１５に示すように、中継局は２つの周波数帯域を使用するだけでなく、基地局と中継局との間の中継リンクのチャンネル容量を増大させるために方向性アンテナ１５０７と、中継局のサブセルに含まれる端末との通信リンクのための全方向性アンテナ１５０９を備える。
【００８９】
中継局は、ＲＦスイッチ１５３１の動作により、２つのアンテナと２つの周波数帯域を交替して動作する。すなわち、受信装置１５２１は、方向性アンテナ１５０７を用いて周波数帯域Ｆ１を通じて基地局のダウンリンク信号を受信すると、送信装置１５０１は全方向性アンテナ１５０９を用いて周波数帯域Ｆ２を通じてサブセルに含まれた端末に基地局のダウンリンク信号を中継する。ここで、基地局のダウンリンク信号は、以前タイムに受信された信号を意味する。
【００９０】
一方、受信装置１５２１が全方向性アンテナ１５０９を用いて周波数帯域Ｆ２を通じて端末のアップリンク信号を受信すると、送信装置１５０１は、方向性アンテナ１５０７を用いて周波数帯域Ｆ１を通じて基地局に端末のアップリンク信号を中継する。ここで、端末のアップリンク信号は以前タイムに受信された信号を意味する。
【００９１】
タイミング制御器１５３３は、相互に異なる周波数帯域を用いて基地局と端末に信号を送受信するためのタイミング信号を発生してＲＦスイッチ１５３１の動作を制御する。また、周波数帯域Ｆ２を同一に使用して発生する逆方向リンクの干渉を防止するために、基地局の伝送タイミングと伝送遅延を考慮して０．５×ＲＴＤだけタイミングアドバンスして中継局ダウンリンクサブフレームを伝送するように制御する。
【００９２】
以上、本発明の詳細な説明においては具体的な実施形態に関して説明したが、形式や細部についての様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００９３】
【図１】一般的なマルチホップリレイ方式のセルラーネットワークの構成を示す図である。
【図２】一般的な広帯域無線接続通信システムのフレーム構造を示す図である。
【図３】本発明による透過中継を遂行するためのマルチホップリレイセルラーネットワークの構成を示す図である。
【図４Ａ】本発明の一実施形態による透過中継のために、周波数帯域Ｆ１を用いるダウンリンクサブフレーム構造を示す図である。
【図４Ｂ】本発明の一実施形態による透過中継のために、周波数帯域Ｆ２を用いるダウンリンクサブフレーム構造を示す図である。
【図５Ａ】本発明の他の実施形態による透過中継のためのフレーム構造を示す図である。
【図５Ｂ】本発明の他の実施形態による透過中継のためのフレーム構造を示す図である。
【図６Ａ】本発明のまた他の実施形態による透過中継のためのフレーム構造を示す図である。
【図６Ｂ】本発明のまた他の実施形態による透過中継のためのフレーム構造を示す図である。
【図７Ａ】本発明の他の実施形態による透過中継のためのフレーム構造を示す図である。
【図７Ｂ】本発明の他の実施形態による透過中継のためのフレーム構造を示す図である。
【図８】本発明の実施形態による干渉が発生するマルチホップリレイ方式のセルラーネットワークの構成を示す図である。
【図９Ａ】本発明の実施形態によるマルチホップリレイ方式のセルラーネットワークで干渉を防止するための送信タイミングを示す図である。
【図９Ｂ】本発明の実施形態によるマルチホップリレイ方式のセルラーネットワークで干渉を防止するための送信タイミングを示す図である。
【図９Ｃ】本発明の実施形態によるマルチホップリレイ方式のセルラーネットワークで干渉を防止するための送信タイミングを示す図である。
【図９Ｄ】本発明の実施形態によるマルチホップリレイ方式のセルラーネットワークで干渉を防止するための送信タイミングを示す図である。
【図１０】本発明の実施形態による透過中継を遂行し、拡張されたマルチホップリレイセルラーネットワークの構成を示す図である。
【図１１】本発明の実施形態による透過中継を遂行するための中継局の動作手順を示す図である。
【図１２】本発明の実施形態による透過中継を遂行するためのマルチホップリレイ方式のセルラーネットワークの動作手順を示す図である。
【図１３】本発明の実施形態による中継局装置の送信方式を示す図である。
【図１４】本発明による透過中継を遂行するための基地局のブロック構成を示す図である。
【図１５】本発明による透過中継を遂行するための中継局のブロック構成を示す図である。
【符号の説明】
【００９４】
３００；基地局
３０１，３０３，３１１，３１３；端末
３１０；中継局
【図１】
2007184935.tif 000003
【図２】
2007184935.tif 000004
【図３】
2007184935.tif 000005
【図４Ａ】
2007184935.tif 000006
【図４Ｂ】
2007184935.tif 000007
【図５Ａ】
2007184935.tif 000008
【図５Ｂ】
2007184935.tif 000009
【図６Ａ】
2007184935.tif 000010
【図６Ｂ】
2007184935.tif 000011
【図７Ａ】
2007184935.tif 000012
【図７Ｂ】
2007184935.tif 000013
【図８】
2007184935.tif 000014
【図９Ａ】
2007184935.tif 000015
【図９Ｂ】
2007184935.tif 000016
【図９Ｃ】
2007184935.tif 000017
【図９Ｄ】
2007184935.tif 000018
【図１０】
2007184935.tif 000019
【図１１】
2007184935.tif 000020
【図１２】
2007184935.tif 000021
【図１３】
2007184935.tif 000022
【図１４】
2007184935.tif 000023
【図１５】
2007184935.tif 000024